(57)【要約】【課題】複数のコンテンツを一覧画面から選択する操作において、既に選択済みコンテンツを誤って再度選択してしまう事を防止する。【解決手段】コンテンツ一覧画面を表示する手段と、カーソルを表示する手段と、カーソルを移動する手段と、コンテンツを複数選択する手段とを有するシステムにおいて、選択済みのコンテンツに対し、カーソルと同系色の淡色領域をコンテンツに重ねて表示する手段を有する事を特徴とする。また、その他コンテンツが選択済みである旨を示すいくつかの手段を有することを特徴とする。【選択図】        図１
2004164266.tif 000002
【特許請求の範囲】
【請求項１】
表示画面内に複数のコンテンツ表示領域を有し、画面にカーソルを表示する手段と、カーソルを移動する手段と、一覧から複数のコンテンツを選択する手段を有するシステムにおいて、選択操作され選択済みとなったコンテンツに対し、カーソルと同系色の薄い色をコンテンツに重ねて表示する手段を備える事を特徴とするシステム。
【請求項２】
前記システムにおいて、選択操作され選択済みとなったコンテンツに対し、カーソルと異なる色をコンテンツに重ねて表示する手段を備える事を特徴とするシステム。
【請求項３】
前記システムにおいて、選択操作され選択済みとなったコンテンツに対し、選択操作された時の番号をコンテンツに重ねて表示する手段を備える事を特徴とするシステム。
【請求項４】
前記システムにおいて、選択操作され選択済みとなったコンテンツに、カーソルを移動した際に、コンテンツが選択済みである旨のメッセージを表示する手段を備える事を特徴とするシステム。
【請求項５】
前記システムにおいて、選択操作され選択済みとなったコンテンツに、カーソルを移動した際に、コンテンツの色、濃度、明度を変化させる手段を備える事を特徴とするシステム。
【請求項６】
前記システムにおいて、選択操作され選択済みとなったコンテンツに、カーソルを移動した際に、カーソルの色、濃度、明度を変化させる手段を備える事を特徴とするシステム。
【請求項７】
請求項１〜６に記載の全ての手段もしくはその内のいくつかの手段を複数備え、組合せて使用する事を特徴とするシステム。
【請求項８】
請求項７のシステムにおいて、ユーザーがそれぞれ手段の有効無効を指定する手段および請求項５において変化させる色、濃度、明度を指定する手段および背急行６において変化させる色、濃度、明度を変化させる手段を備える事を特徴とするシステム。
【発明の詳細な説明】
【０００１】
【発明の属する技術分野】
本発明は、複数コンテンツの一覧を表示し、コンテンツの選択操作をすることにより、アルバムやポストカードなどを作成するアルバムソフト等のコンテンツ収集操作に関するものである。
【０００２】
【従来の技術】
コンテンツの一覧画面において、複数のコンテンツを選択する場合、選択したコンテンツの情報をＲＡＭ上の領域に情報として覚えておき、選択操作完了後に選択したコンテンツの一覧画面において、コンテンツの確認を行っている。
【０００３】
【発明が解決しようとする課題】
複数のコンテンツを一覧から選択する操作を行なう場合、コンテンツの種類や数が多い場合、似たコンテンツのサムネイルが表示されているような場合、既に選択したコンテンツと同じコンテンツを選択してしまうことがあるという問題を有していた。
【０００４】
【課題を解決するための手段】
上記課題を解決するため、コンテンツの一覧画面において、選択済みのコンテンツに対し、カーソルと同色系の淡色の領域をコンテンツに付加して表示することにより、選択済みのコンテンツを明示し、既に選択したコンテンツと同じコンテンツを選択しないようにすることが可能となる。
【０００５】
また、選択済みのコンテンツに対し、カーソルとは別色の領域をコンテンツに付加して表示することにより、選択済みのコンテンツを明示し、既に選択したコンテンツと同じコンテンツを選択しないようにすることが可能となる。
【０００６】
また、選択済みのコンテンツに対し、そのコンテンツを選択した時の順番を示す＃ｎ等の番号をコンテンツに重ねて表示することにより、選択済みのコンテンツを明示し、既に選択したコンテンツと同じコンテンツを選択しないようにすることが可能となる。
【０００７】
また、選択済みのコンテンツにカーソルを移動した際に、カーソルの近くに「選択済みです」等のメッセージを表示することにより、既に選択したコンテンツと同じコンテンツを選択しないようにすることが可能となる。
【０００８】
また、選択済みのコンテンツにカーソルを移動した際に、コンテンツの色や濃度、明度を変化させることにより、選択しようとしているコンテンツが選択済みのコンテンツであることを明示し、既に選択したコンテンツと同じコンテンツを選択しないようにすることが可能となる。
【０００９】
また、選択済みのコンテンツにカーソルを移動した際に、カーソルの色や濃度、明度を変化させることにより、選択しようとしているコンテンツが選択済みのコンテンツであることを明示し、既に選択したコンテンツと同じコンテンツを選択しないようにすることが可能となる。
【００１０】
また、前記、選択済みのコンテンツを明示する手段を複数組み合わせて処理することにより、より選択済みであることを明示することにより、既に選択したコンテンツと同じコンテンツを選択しないようにすることが可能となる。
【００１１】
また、前記、選択済みのコンテンツを明示する手段に関して、それぞれの動作に関してユーザーが指定する手段を用意し、ユーザーの好みの手段で選択済みのコンテンツを明示し、既に選択したコンテンツと同じコンテンツを選択しないようにすることが可能となる。
【００１２】
【発明の実施の形態】
（実施例）
以下、添付図面に従って本発明に係る実施形態を詳細に説明する。
【００１３】
図１は、本発明のハードウェアの構成図である。１１はＣＰＵ。１２はプログラムをロードして動作させたり、データを一時的に格納しておくＲＡＭ。１３はＲＯＭであり、起動プログラム等を格納する。１４はＣＲＴやＬＣＤ等の表示処理装置である。１５は入力装置であり、本システムでは図２に示すボタンを持つリモコンである。１６はプログラム等を格納しておくＨＤＤやＦＤＤ等のディスク装置である。１７は、各デバイス間のデータのやり取りを行うシステムバスである。
【００１４】
図２は、本システムの入力装置であるリモコンのボタン配置図である。２２〜２５はカーソルの移動操作をするための矢印ボタン。２１、２６、２７、２８はそれぞれ△、×、○、□ボタンである。それぞれのボタンは、基本的な意味付けがされているが、画面や状態により動作が変わる。基本的には、○ボタンは実行や選択の意味、×ボタンはキャンセルや戻るの意味、△ボタンはモード変更の意味、□ボタンは拡張機能の意味を持たせている。図５に示すメインメニュー画面においての操作では、カーソル移動後、○ボタンを押すと、カーソルのあるコンテンツのアルバム画面を起動する動作を行う。
【００１５】
図３は、本システムの基本動作を示すフローチャートである。本システムは、処理の動作開始契機としてイベントと呼ぶメッセージのようなものを用いる。基本的にシステムは起動後、ステップＳ３０１のイベント待ちの状態になる。１５リモコンのボタン操作をするとイベントが発行され、ステップＳ３０２において、イベントの判定を行い、それぞれの処理に振り分けられることになる。また、表示処理の起動契機としてもリモコンボタン操作とは別のイベントが発行される。ステップＳ３０３〜Ｓ３０６の各処理において、必要とする表示イベントを発行する処理を行い、ステップＳ３０２のイベント判定処理により振り分けられ、ステップＳ３０８の表示イベント処理で処理を行う。
【００１６】
ステップＳ３０２のイベント判定処理で用いる判定テーブルは、画面や状態に合わせたテーブルが用意してあり、このテーブルを切り替えることにより、それぞれの画面や状態でのリモコン操作等を振り分けている。
【００１７】
図５はメインメニュー画面である。５０１は、アルバムの種類を選択するためのアルバムタブである。５０２は、オリジナルアルバム作成の種類を選択するためのオリジナルタブである。５０１アルバムタブと５０２オリジナルタブの切り替えは、１５リモコンの横方向矢印ボタンの２３左矢印ボタンもしくは２４右矢印ボタンで行う。
【００１８】
また、５０４のアルバムの種類から５０３カーソルを用いてアルバムの種類を選択する。この操作は、１５リモコンの縦方向矢印ボタンの２２上矢印ボタンもしくは２５下矢印ボタンを用いて実行する項目上に５０３カーソルを移動し、２７○ボタンを押すことにより行う。本システムのカーソル移動用のボタンとしては、四方向のボタンしかないため、全ての画面において、四方向ボタンのみでカーソル操作ができるようにデザインしてある。Ｐｈｏｔｏ、Ｍｏｖｉｅ等の項目に５０３カーソルを移動し、２７○ボタンを押すと、それぞれのコンテンツのアルバム一覧画面に移動する。Ｏｒｉｇｉｎａｌの項目に５０３カーソルを移動し、２７○ボタンを押すと、５０２オリジナル作成タブ内の機能を用いて作成したオリジナルアルバムの一覧画面に移動する。
【００１９】
図６は、オリジナル作成メニュー画面である。図５のメインメニュー画面で横方向矢印ボタンを押して、５０２オリジナル作成タブを表示させた状態である。６０１はカーソルであり、新規アルバム作成やポストカード作成等の項目の選択に用いる。
【００２０】
図６において、新規アルバム作成（Ｎｅｗ  Ａｌｂｕｍ）を実行すると、図７の画面になる。
【００２１】
図７は、新規アルバムを作成するためのコンテンツを収集する画面である。７０１はカーソル。７０２はコンテンツ一覧画面であり、本実施例では１列に４つずつ４段のコンテンツを表示している。７０３はコンテンツが４×４段の１６個以上ある場合に、５段目以降を表示させるためのスクロールバーである。
【００２２】
この画面の状態で、２７○ボタンを押すと、７０１カーソルのコンテンツが収集コンテンツとして選択される。収集コンテンツの情報は１２ＲＡＭ上の選択コンテンツテーブルにデータ保持される。
【００２３】
図８は、１段１番目のコンテンツが収集されてから、カーソルを３段２番目に移動した状態を表した画面である。８０２はカーソルであり、８０１は選択済みのコンテンツである。本画面の表示イベント処理を示したのが、図４のフローチャートである。
【００２４】
図４では、まず、ステップＳ４０１において一覧画面の４段４つのコンテンツを表示する。次にステップＳ４０２で、図８の８０２のカーソル表示を行う。次にステップＳ４０３において、選択コンテンツテーブルを参照して、選択済みのデータがあるかを判定する。選択済みコンテンツがある場合は、ステップＳ４０４において、選択済みデータに対する表示処理を行う。本実施例では、選択済みコンテンツに対して、カーソルと同色系の淡色の領域を図８の８０１のように表示する。ステップＳ４０２において、選択済みコンテンツが無いと判定された場合およびステップＳ４０３の処理が終了した場合、一覧画面の表示イベント処理を終了する。
【００２５】
図９は、図８において、８０２カーソルのコンテンツを選択し、さらにカーソルを９０３に移動した状態の画面である。９０１と９０２のコンテンツが選択済みの状態として表示されている。
【００２６】
図１０は、図４のステップＳ４０４の選択済みコンテンツ表示処理において、選択済みのコンテンツに対し、カーソルとは別の色の領域を表示する処理とした実施例を示したものである。１００１、１００２のコンテンツが選択済みの状態として表示している。１００３はカーソルである。
【００２７】
図１１は、図４のステップＳ４０４の選択済みコンテンツ表示処理において、選択済みのコンテンツに対し、選択された時の番号をコンテンツに重ねて表示する処理とした実施例を示したものである。１１０１は最初に選択操作した選択済みのコンテンツであり、コンテンツの上に＃１の文字を表示している状態である。１１０２はカーソルである。
【００２８】
図１２は、図１１の状態で、１１０２を選択し、さらにカーソルを１２０３に移動した状態を示した画面である。１２０１、１２０３は選択済みのコンテンツに番号を重ねて表示したものである。
【００２９】
図１３は、図４のステップＳ４０４の選択済みコンテンツ表示処理において、カーソル位置が選択済みのコンテンツにある場合、メッセージを表示する処理とした実施例を示したものである。１３０１はカーソルであり、このコンテンツは選択済みのコンテンツである。１３０２は、このコンテンツが選択済みであることを示すメッセージである。
【００３０】
図１４は、図４のステップＳ４０４の選択済みコンテンツ表示処理において、カーソル位置が選択済みのコンテンツにある場合、コンテンツを反転表示する処理とした実施例を示したものである。１４０１はカーソルであり、このコンテンツは選択済みのコンテンツである。１４０２は、このコンテンツが選択済みであることを示す反転表示したコンテンツである。
【００３１】
図１５は、図４のステップＳ４０４の選択済みコンテンツ表示処理において、カーソル位置が選択済みのコンテンツにある場合、カーソルの色を変更する処理とした実施例を示したものである。１５０１はカーソルであり、このコンテンツは選択済みのコンテンツであり、通常コンテンツ上のカーソル色と異なるカーソルの色を表示している。
【００３２】
図１６は、図４のステップＳ４０４の選択済みコンテンツ表示処理において、選択済みコンテンツに対して、カーソルと同色系の淡色の領域を表示する処理と、選択された時の番号をコンテンツに重ねて表示する処理の２つの処理とした実施例を示したものである。１６０１、１６０３は選択済みのコンテンツであり、カーソルと同色系の淡色の領域をコンテンツに付加して表示している。１６０２は最初に選択操作した選択済みのコンテンツであり、コンテンツの上に＃１の文字を表示している状態である。１６０４は２番目に選択したコンテンツであり、コンテンツの上に＃２の文字を表示している状態である。１６０５はカーソルである。
【００３３】
ここでは、２つの選択済みコンテンツを示す手段を用いたが、２つ以上の組み合わせを、選択済みコンテンツ表示処理で行うことも可能である。
【００３４】
図１７は、カーソルの色および選択済みコンテンツに対して行う処理を設定する表示モード設定ダイアログウィンドウを表示した画面である。本ダイアログウィンドウは、コンテンツ一覧画面において、１５リモコンの２８□ボタンを押した場合に表示する。ダイアログが表示している状態で、２８□ボタンを押すとダイアログを閉じる処理を行う。
【００３５】
１７０２はカーソルの表示色の設定項目であり、黄色が選択されている状態である。１７０３は選択済みコンテンツのマーク領域表示色の設定項目であり、黄色が選択されている状態である。１７０４は選択済みコンテンツのマーク領域表示色の淡色処理を指定する項目であり、淡色処理する設定が選択されている。１７０５は選択済みコンテンツに番号表示の設定項目であり、番号表示する設定が選択されている。１７０６は選択済みコンテンツにカーソルがある時にメッセージ表示するかの設定項目であり、メッセージ表示しない設定が選択されている。１７０７は選択済みコンテンツにカーソルがある時にコンテンツを反転表示するかの設定項目であり、反転表示しない設定が選択されている。１７０８は、このダイアログウィンドウのカーソルである。
【００３６】
図１８は、図１７の設定手段で設定した状態に合わせて、選択済みデータの表示処理を行うフローチャートであり、図４のステップＳ４０４の詳細となる。
【００３７】
ステップＳ１８０１で選択済みコンテンツの淡色表示処理を行うかの判定処理を行う。淡色表示処理を行う設定の時は、ステップＳ１８０２で淡色表示処理を行う。淡色表示処理の設定がされていない時は、ステップＳ１８０３で選択済みコンテンツ表示色処理で、淡色処理していない表示処理を行う。ステップＳ１８０２，Ｓ１８０３の表示処理が終了すると、ステップＳ１８０４の選択済みコンテンツの番号表示を行うかの反転処理を行う。
【００３８】
番号表示処理を行う設定の時は、ステップＳ１８０５で、選択済みコンテンツに、選択されたときの番号をコンテンツに重ねて表示する。ステップＳ１８０５が終了した時および番号表示処理を行わない設定の場合、ステップＳ１８０６に進む。ステップＳ１８０６では、選択済みコンテンツにカーソルがある場合に、コンテンツ反転表示処理を行う設定であるかの判定処理を行う。コンテンツ反転表示処理を行う設定の場合、ステップＳ１８０７で、コンテンツ反転表示処理を行う。ステップＳ１８０７が終了した場合およびコンテンツ反転表示処理を行わない設定の場合、ステップＳ１８０８に進む。
【００３９】
ステップＳ１８０８では、選択済みコンテンツにカーソルがある場合に、選択済みコンテンツであるメッセージを表示する設定であるかの判定処理を行う。メッセージ表示する設定である場合、ステップＳ１８０９でメッセージ表示処理を行う。ステップＳ１８０９が終了した場合およびメッセージ表示処理しない設定であった場合、本選択済みデータ表示処理を終了する。
【００４０】
上記実施例では、選択済みコンテンツへの表示領域としてコンテンツ外側のカーソルと同様の領域を用いているが、コンテンツの四隅もしくはその内のいくつかの隅に三角等のマークを表示するようにしても実現可能である。
【００４１】
また、システムプログラムを１６Ｄｉｓｋ装置でなく１３ＲＯＭに格納しているシステムであっても実現可能である。
【００４２】
また、入力装置がリモコンでなくキーボードであっても実現可能である。
【００４３】
【発明の効果】
以上説明したように、本発明により、コンテンツ選択操作において選択済みのコンテンツを誤って選択してしまうことを防止することが可能となる。
【図面の簡単な説明】
【図１】ハードウェア概略図
【図２】ユーザー操作の入力装置であるリモコンのボタン配置図
【図３】イベント処理のフローチャート図
【図４】一覧画面の表示イベント処理のフローチャート図
【図５】メインメニュー画面のアルバムタブ表示状態
【図６】メインメニュー画面のオリジナル作成タブ表示状態
【図７】コンテンツ一覧画面
【図８】コンテンツ一覧画面において、２つ目の選択コンテンツにカーソルを移動した状態
【図９】コンテンツ一覧画面において、３つ目の選択コンテンツにカーソルを移動した状態
【図１０】コンテンツ一覧画面において、３つ目の選択コンテンツにカーソルを移動した状態の他の実施例
【図１１】コンテンツ一覧画面において、２つ目の選択コンテンツにカーソルを移動した状態の他の実施例
【図１２】コンテンツ一覧画面において、３つ目の選択コンテンツにカーソルを移動した状態の他の実施例
【図１３】コンテンツ一覧画面において、選択済みのコンテンツにカーソルを移動した状態
【図１４】コンテンツ一覧画面において、選択済みのコンテンツにカーソルを移動した状態の他の実施例
【図１５】コンテンツ一覧画面において、選択済みのコンテンツにカーソルを移動した状態の他の実施例
【図１６】コンテンツ一覧画面において、３つ目の選択コンテンツにカーソルを移動した状態の他の実施例
【図１７】表示モード設定ウィンドウ
【図１８】選択済みデータ表示処理のフローチャート図
【符号の説明】
１１：  ＣＰＵ
１２：  ＲＡＭ
１３：  ＲＯＭ
１４：  表示処理装置
１５：  入力装置（ＲＣ）
１６：  外部記憶装置（ＨＤＤ）
１７：  システムバス
２１：  リモコンの△ボタン
２２：  リモコンの上矢印ボタン
２３：  リモコンの左矢印ボタン
２４：  リモコンの右矢印ボタン
２５：  リモコンの下矢印ボタン
２６：  リモコンの×ボタン
２７：  リモコンの○ボタン
２８：  リモコンの□ボタン
５０１：  アルバム表示タブ
５０２：  オリジナル作成タブ
７０２：  コンテンツ一覧
７０３：  コンテンツ一覧のスクロールバー
１７０１：  表示モード設定ウィンドウ
【図１】
2004164266.tif 000003
【図２】
2004164266.tif 000004
【図３】
2004164266.tif 000005
【図４】
2004164266.tif 000006
【図５】
2004164266.tif 000007
【図６】
2004164266.tif 000008
【図７】
2004164266.tif 000009
【図８】
2004164266.tif 000010
【図９】
2004164266.tif 000011
【図１０】
2004164266.tif 000012
【図１１】
2004164266.tif 000013
【図１２】
2004164266.tif 000014
【図１３】
2004164266.tif 000015
【図１４】
2004164266.tif 000016
【図１５】
2004164266.tif 000017
【図１６】
2004164266.tif 000018
【図１７】
2004164266.tif 000019
【図１８】
2004164266.tif 000020